(57)【特許請求の範囲】
【請求項１】
リール本体の側板間に配置され、スプールを回転駆動する電動モータと、
前記電動モータを収容する筒状のモータケースと、を備え、
前記モータケースの端部の外周面には、前記電動モータのリード線を前記モータケースの径方向外側に向けて引き出す引出口が形成されており、
前記モータケースの端部の外側面には、前記モータケースの熱を放熱する側部放熱部材が取り付けられており、
前記側部放熱部材は、前記側板に形成された開口部を通じて前記側板の外側方から臨まれることを特徴とする魚釣用電動リール。
【請求項２】
前記引出口には、防水パッキンが抜け止め固定されていることを特徴とする請求項１に記載の魚釣用電動リール。
【請求項３】
前記防水パッキンは、前記外周面の外側から前記引出口に取り付けられ、
前記引出口には、前記防水パッキンが前記引出口の外側に抜けるのを前記外周面の外側から押さえる保持部材が備わることを特徴とする請求項２に記載の魚釣用電動リール。
【発明の詳細な説明】
【技術分野】
【０００１】
本発明は魚釣用電動リールに関する。
【背景技術】
【０００２】
従来、魚釣用電動リールとして特許文献１に開示されたものが知られている。特許文献１の魚釣用電動リールは、電動モータが収容されるモータケースを備えている。モータケースは、フレームと一体に設けられた円筒状の前フレームと、この前フレームの側部に着脱可能に取り付けられるカバー部材とから構成されている。モータケースは、これらによって囲われる水密な内部空間を有している。電動モータのリード線と外部のモータ制御部からのリード線との接続部は、モータケース内に収容されている。
【０００３】
特許文献１の魚釣用電動リールでは、モータケースによって接続部が保護されているので、リード線の絶縁が損なわれたり、腐食による断線が生じたりするのを確実に防止することができる。また、電動モータの着脱も容易である。
【先行技術文献】
【特許文献】
【０００４】
【特許文献１】特開平１１−２４３８２２号公報
【発明の概要】
【発明が解決しようとする課題】
【０００５】
特許文献１の魚釣用電動リールでは、リール本体の側方のスペースを利用して、電動モータの軸方向となる保護カバーの側面からリード線が引き出されている。しかしながら、リールのコンパクト化を考慮すると、このようなリード線の引き出し構造では、電動モータの軸方向にリール本体の寸法が大きくなってしまう。この傾向は、出力の大きい電動モータを搭載した場合に、より顕著となり、これを改善したいという要望があった。
【０００６】
本発明は、前記課題を解決するためになされたものであり、リール本体の小型化を図りつつ、出力の大きい電動モータを搭載することが可能な魚釣用電動リールを提供することを課題とする。
【課題を解決するための手段】
【０００７】
このような課題を解決する本発明の魚釣用電動リールは、リール本体の側板間に配置され、スプールを回転駆動する電動モータと、前記電動モータを収容する筒状のモータケースと、を備え、前記モータケースの端部の外周面には、前記電動モータのリード線を前記モータケースの径方向外側に向けて引き出す引出口が形成されており、前記モータケースの端部の外側面には、前記モータケースの熱を放熱する側部放熱部材が取り付けられており、前記側部放熱部材は、前記側板に形成された開口部を通じて前記側板の外側方から臨まれることを特徴とする。
【０００８】
この魚釣用電動リールでは、モータケースの引出口を通じて、例えば、モータケースの軸線に直交する方向にリード線を引き出すことができる。これにより、電動モータの軸方向にリード線が延在するのを回避することができる。
【０００９】
また、前記魚釣用電動リールにおいて、前記引出口には、防水パッキンが抜け止め固定されているのがよい。このように構成することで、モータケース内への水の浸入を阻止しつつ、電動モータの発熱によるケース内の内圧が高まった場合においても、引出口のシール性を確保することができる。
【００１０】
また、前記魚釣用電動リールにおいて、前記防水パッキンが、前記外周面の外側から前記出入口に取り付けられる場合には、前記防水パッキンが前記引出口の外側に抜けるのを前記外周面の外側から押さえる保持部材を備えるのがよい。このように構成することで、外周面の外側から引出口に防水パッキンを取り付けることができるので、取付性に優れる。また、保持部材によってパッキン本体を確実に抜け止め固定することができる。
【発明の効果】
【００１３】
本発明の魚釣用電動リールによれば、モータケースの引出口を通じて、例えば、モータケースの軸線に直交する方向にリード線を引き出すことができ、電動モータの軸方向にリード線が延在するのを回避することができる。したがって、従来に比べ電動モータの軸方向にリール本体の寸法を小さくすることができる。これにより、リール本体の小型化を図りつつ、出力の大きい電動モータを搭載することができる。
【００１４】
また、防水パッキンにより、モータケース内への水の浸入を阻止しつつ、電動モータの発熱による電動モータ内の内圧が高まった場合においても、引出口のシール性を確保することができるので、モータケース内の水密性を確実に維持することができる。したがって、電動モータの性能を長期的に安定して維持することができる。
【００１５】
また、モータケースの外周面の外側から引出口に防水パッキンを取り付けることができるので、取付性に優れる。また、保持部材によってパッキン本体を確実に抜け止め固定することができる。したがって、組付性および生産性に優れた魚釣用電動リールが得られる。
【図面の簡単な説明】
【００１７】
【図１】本発明の一実施形態に係る魚釣用電動リールを示す平面図である（一部省略）。
【図２】同じく右後方斜め上方から見た魚釣用電動リールの斜視図である。
【図３】（ａ）は右フレームから支持部を取り外したリール本体の分解斜視図、（ｂ）は右フレームに支持部を固定したリール本体の側面図である。
【図４】（ａ）は右フレームから右側板を取り外したリール本体の分解斜視図、（ｂ）は右フレームに右側板を固定したリール本体の側面図である。
【図５】防水パッキンの構成を分解して示すとともに、蓋体、放熱部材を分解して示したリール本体の分解斜視図である。
【図６】モータケースの蓋体の引出口を中心とした部分拡大縦断面図である。
【図７】図４（ｂ）のＣ−Ｃ線に沿う拡大断面図である。
【図８】図４（ｂ）のＣ−Ｃ線に沿うモータケースの周りの拡大断面図である。
【図９】変形例を示すモータケース周りの模式断面図である。
【発明を実施するための形態】
【００１８】
以下、本発明に係る魚釣用電動リールの実施形態について図面を参照して説明する。以下の説明において、「前後」「左右」を言うときは、図１，図２示した方向を基準とし、「上下」を言うときは、図２に示した方向を基準とする。
【００１９】
図１に示すように、魚釣用電動リールは、フレーム２と、このフレーム２を覆うように配設される側板３と、を備えたリール本体１を有している。
フレーム２は、リール本体１の骨格をなす部分であり、左フレーム２ａ、右フレーム２ｂ、およびスプール５の前方に配設される前フレーム２ｃ（図７参照）を備えてなる。これらの左フレーム２ａ、右フレーム２ｂ、前フレーム２ｃは、全体として一体に形成されている。なお、各左フレーム２ａ、右フレーム２ｂ、前フレーム２ｃを別体に形成して、固定手段等により一体化してもよいし、部分的に一体に形成してもよい。
【００２０】
左右フレーム２ａ，２ｂは、複数の図示しない支柱を介して一体化されている。下方の図示しない支柱には、釣竿のリールシートに装着される図示しないリール脚が設けられている。
このような左右フレーム２ａ，２ｂ、前フレーム２ｃからなるフレーム２は、例えば、アルミニウム合金、マグネシウム合金等の金属材で形成することができる。
左右フレーム２ａ，２ｂの上縁には、カウンターケース１４が載置されている。
【００２１】
前フレーム２ｃは、左右フレーム２ａ，２ｂに開口部（不図示）を有する略円筒状を呈しており、その内部には、電動モータＭ（図７，図８参照）が収容される。前フレーム２ｃは、電動モータＭを収容するモータケース６０（図７，図８参照）の一部として機能している。
【００２２】
側板３は、左フレーム２ａを覆う左側板３０Ａと、右フレーム２ｂを覆う右側板３０Ｂと、前フレーム２ｃを覆う前側板３０Ｃと、を備え、釣人の手によって握持されたり、保持されたりする部分（釣人の手が接触する部分）となる。
左側板３０Ａ、右側板３０Ｂおよび前側板３０Ｃは、個々に合成樹脂製の一体成形品であり、左フレーム２ａ、右フレーム２ｂおよび前フレーム２ｃにそれぞれ装着される。
【００２３】
右フレーム２ｂには、支持部３１が着脱可能に固定されている。すなわち、右フレーム２ｂは、相互に別体とされた２つの部材（右側板３０Ｂおよび支持部３１）で覆われている。支持部３１は、巻き取り操作されるハンドル７０のハンドル軸７およびピニオンギャ軸９ｊを支持している。
【００２４】
図１に示すように、左右フレーム２ａ，２ｂ間には、釣糸が巻回されるスプール５が回転自在に支持されている。
また、スプール５の前方には、電動モータＭが配置されており、スプール５は、ハンドル７０の巻き取り操作、および電動モータＭの回転駆動によって、駆動力伝達機構をなす公知の減速機構Ｇ１等を介して釣糸巻き取り方向に回転駆動される。
電動モータＭは、カウンターケース１４の後方側におけるフレーム２の上部に設けた操作レバー６の前後方向の回動操作で、モータ出力が増減調節される。
【００２５】
スプール５は、釣糸が巻回される釣糸巻回胴部５ａを備えており、その両端には、巻回される釣糸を規制するフランジ５ｂ，５ｃが形成されている。スプール５は、スプール軸５ｄに図示しない軸受を介して左右フレーム２ａ，２ｂに支持されている。
【００２６】
スプール５には、減速機構Ｇ１および右フレーム２ｂに設けられた公知の減速機構Ｇ２を介して駆動力が伝達されるようになっている。
減速機構Ｇ１は、電動モータＭの側方に設けられており、電動モータＭの出力を減速する。減速機構Ｇ１により減速された回転駆動力は、公知の動力伝達部Ｇ３を介してスプール軸５ｄに伝達される。
また、減速機構Ｇ２は、右フレーム２ｂ側に設けられており、スプール軸５ｄの回転駆動力を減速してスプール５に伝達するようになっている。
スプール５には、図７に示すように、ブラケット５０１を介してピニオンギャ軸９ｊが連結されている。
【００２７】
右フレーム２ｂを覆う支持部３１は、金属製、例えば、アルミニウム合金、マグネシウム合金等からなる一体成形品である。支持部３１は、ハンドル軸７の周りに配置される部材であり、右フレーム２ｂに対して直接固定されている。右側板３０Ｂは、支持部３１を囲うように配置される部材であり、右フレーム２ｂに対して直接固定されている。支持部３１はアルマイト加工処理等によりカラーリング可能である。
【００２８】
支持部３１は、図３（ａ）（ｂ）に示すように、ハンドル軸支持部３１ａと、ピニオンギャ軸支持部３１ｂと、を備えている。
ハンドル軸支持部３１ａの内側には、図７に示すように、複数の制動板３２ａを備えるドラグ機構３２、およびドライブギャ８が収容されている。ハンドル軸支持部３１ａは、ベアリング部材３１ｄおよびホルダー３２ｂを介してハンドル軸７の一端を支持している。ハンドル軸７にはドラグ機構３２を介してドライブギャ８が摩擦結合している。なお、ハンドル軸７の基端７ａは右フレーム２ｂに支持されている。公知のように回転自在に抜け止め支持されている。なお、ハンドル軸７は公知のように逆転防止機構により、釣糸巻取り方向の正回転を許容し、釣糸繰り出し方向の逆回転が阻止されるように構成されている。
【００２９】
ピニオンギャ軸支持部３１ｂの内側には、図７に示すように、ピニオンギャ９が収容されている。ピニオンギャ軸支持部３１ｂの底部３１ｅには、軸受けとなるベアリング部材３１ｆを介してピニオンギャ軸９ｊの先端部が支持されている。ピニオンギャ軸９ｊは、スプール５に連結されている。ピニオンギャ９には、ドライブギャ８が噛合している。
また、ピニオンギャ軸支持部３１ｂの内側には、図７に示すように、公知のクラッチ機構を構成するスライドプレート９ａの一部が収容されている。
支持部３１は、図３（ａ）（ｂ）に示すように、複数本の固定用ねじ３１ｍ，３１ｎで右フレーム２ｂに直接固定されている。つまり、支持部３１は、右側板３０Ｂとは独立して右フレーム２ｂに固定されている。
【００３０】
右側板３０Ｂは、支持部３１と別体に形成されており、右フレーム２ｂに対して独立して固定される部材である。右側板３０Ｂには、開口部３３が形成されており、この開口部３３を通じて、支持部３１のハンドル軸支持部３１ａおよびピニオンギャ軸支持部３１ｂが右側板３０Ｂの右側方に露出する状態で突出している（図２，図７参照）。
【００３１】
開口部３３の後方上縁部には、右側方に向けて延在する支持部３５が形成されている。支持部３５は、図４（ａ）（ｂ）に示すように、側面視で略四角形状を呈している。支持部３５には、公知のクラッチ機構を操作するための操作レバー３８が取り付けられている。操作レバー３８を回動操作することによって、スライドプレート９ａ（図４（ａ），図７参照）がスライドされ、クラッチ機構の係脱（オンオフ）がなされる。
【００３２】
右側板３０Ｂの前部には、図４（ａ）（ｂ）に示すように、側面視略円形状のモータカバー部３４が形成されている。モータカバー部３４には、電動モータＭ（図５参照）の放熱用の開口部３４ａが複数形成されている。モータカバー部３４の内側には、円板状の側部放熱部材３７（図５参照）が配置されている。開口部３４ａの大きさは、実釣時に使用者の指等が入らない程度の大きさに形成されている。
【００３３】
側部放熱部材３７は、例えば、放熱性のよい、アルミニウム合金、マグネシウム合金、銅合金等の金属材で形成されている。側部放熱部材３７の右側面には、周溝３７ａが形成されている（図７参照）。この周溝３７ａにより、側部放熱部材３７の右側面の放熱面積が増大している。側部放熱部材３７は、前記開口部３４ａを通じてモータカバー部３４の側方から臨まれる（開口部３４ａ内に露出している、図４（ｂ）参照）。側部放熱部材３７は、図８に示すようにＯリング３４ｐを介して、モータカバー部３４の内面に密着している。側部放熱部材３７はアルマイト加工処理等によりカラーリング可能である。
【００３４】
図５に示すように、電動モータＭの端部の外周面５０には、リード線導出口５２が形成されている。リード線導出口５２には、ブラケット５３が配置されており、ブラケット５３を介して２本のリード線５４が径方向外側に導出されている。つまり、２本のリード線５４は、一箇所のリード線導出口５２から一緒に導出されている。電動モータＭの右側部となる底部５１には、軸部５６が突設されている。また、底部５１には、凹部５５が形成されている。
【００３５】
電動モータＭは、図８に示すように、筒状のモータケース６０に収容されている。モータケース６０は、前記した前フレーム２ｃと、蓋体６２（図５参照）とから構成されている。前フレーム２ｃは、電動モータＭを収容可能な内径を有している。前フレーム２ｃは筒状で、左右フレーム２ａ，２ｂと一体に設けられている。蓋体６２は、電動モータＭの右側部を覆う有底円筒状を呈している。蓋体６２は、前フレーム２ｃの右縁部６３にＯリング６３ａを介してインロー嵌合されている。蓋体６２は、図５に示すように、開口縁のフランジ部６０７に設けられた各ねじ孔６０９にねじ６１６を挿通し、これを右フレーム２ｂに螺合することで右フレーム２ｂに固定される。
【００３６】
蓋体６２の外周面６０１には、電動モータＭのリード線５４を引き出すための内面円筒状の引出口６０４が形成されている。引出口６０４には、防水パッキン６１０が取り付けられる。引出口６０４は、図６に示すように、蓋体６２を貫通しており、円筒部６０４ｂと、円筒部６０４ｂの開口縁部に形成された段差部６０４ａと、を備えている。引出口６０４の開口縁部（段差部６０４ａの開口縁部）には、図５に示すように、引出口６０４を挟んで対称となる位置に、一対のねじ取付部６０５，６０５が形成されている。各ねじ取付部６０５には、ねじ穴６０５ｂが形成されている。各ねじ穴６０５ｂには、ねじ６１５が螺合可能である。
【００３７】
防水パッキン６１０は、例えば、合成ゴム製のパッキンであり、外周面６０１の外側から引出口６０４に取り付けられる。防水パッキン６１０は、引出口６０４を液密にシールする。防水パッキン６１０は、引出口６０４の円筒部６０４ｂに嵌入される胴部６１１と、胴部６１１に連続し引出口６０４の段差部６０４ａに配置されるフランジ部６１２と、を備えている。防水パッキン６１０には、リード線５４，５４が挿通される２本の貫通穴６１３，６１３が形成されている。各貫通穴６１３は、リード線５４を液密に保持している。各貫通穴６１３の開口縁部は、外側に環状に突出している。これにより、貫通穴６１３の開口縁部の補強がなされている。
【００３８】
防水パッキン６１０のフランジ部６１２の上面には、保持部材としてのワッシャ６１４が配置されている。ワッシャ６１４は、各ねじ取付部６０５のねじ穴６０５ｂに螺合されるねじ６１５の締め付けによって、引出口６０４の段差部６０４ａ内に入り込み、防水パッキン６１０（フランジ部６１２）が引出口６０４の外側に抜けるのをねじ６１５の頭部の下面で押さえる（防水パッキン６１０の移動を規制する）。
【００３９】
本実施形態では、引出口６０４を通じて電動モータＭの径方向（モータケース６０の径方向）となる、後方斜め上方にリード線５４，５４が引き出される。引き出された２本のリード線５４，５４は、右側板３０Ｂの内側の蓋体６２と支持部３１との間に形成されるスペース等を利用して、カウンターケース１４内に備わる制御基板等からの図示しない電線と電気的に接続される。
【００４０】
蓋体６２の底部６０２には、図８に示すように、右側方に突出する係合部６０２ａが形成されている。係合部６０２ａは、側部放熱部材３７の対向面に形成された丸形の凹部３７ｃ（図５参照）に係合される。また、係合部６０２ａの内側には、電動モータＭの軸部５６が挿入される挿入穴６０２ｂが形成されている。底部６０２の内面（左側面）には、電動モータＭ側へ向けて突出する係合突部６０２ｅが形成されている。この係合突部６０２ｅは、電動モータＭの右側部に設けられた凹部５５に係合可能である。この係合により、電動モータＭの右側部が蓋体６２に位置決めされる。
【００４１】
なお、電動モータＭから発生した熱は、モータケース６０の一部である蓋体６２を介して側部放熱部材３７に伝わり、側部放熱部材３７から右側板３０Ｂの開口部３４ａを通じてリール本体１の右側方の外気に放熱される。
【００４２】
右側板３０Ｂは、図４（ｂ）に示すように、その周縁部に間隔を空けて設けられたねじ孔３６ａに固定ねじ３６ｂをそれぞれ挿通し、これらを右フレーム２ｂに螺合することで右フレーム２ｂに固定される。
【００４３】
以上説明した本実施形態の魚釣用電動リールによれば、モータケース６０の引出口６０４を通じて、モータケース６０の軸線に直交する方向に各リード線５４を引き出すことができる。これにより、電動モータＭの軸方向に各リード線５４が延在するのを回避することができる。したがって、従来に比べ電動モータＭの軸方向にリール本体１の寸法を小さくすることができる。これにより、リール本体１の小型化を図りつつ、出力の大きい電動モータＭを搭載することができる。
【００４４】
また、防水パッキン６１０により、モータケース６０内への水の浸入を阻止することができる。また、電動モータＭの発熱により電動モータＭ内の内圧が高まった場合においても、引出口６０４のシール性を確保することができる。これにより、モータケース６０内の水密性を好適に確保することができる。したがって、電動モータＭの性能を長期的に安定して維持することができる。
【００４５】
また、蓋体６２の外周面６０１の外側から引出口６０４に防水パッキン６１０を取り付けることができるので、取付性に優れる。また、保持部材６１４によって防水パッキン６１０を確実に抜け止め固定することができる。したがって、組付性および生産性に優れた魚釣用電動リールが得られる。
【００４６】
また、各リード線５４は、電動モータＭの端部の外周面５０から径方向外側に導出され、そのままモータケース６０の引出口６０４から外部に引き出されるので、電動モータＭおよびモータケース６０を軸方向に小型化することができる。したがって、従来に比べ電動モータＭの軸方向にリール本体１の寸法を小さくすることができる。これにより、リール本体１の小型化を図りつつ、出力の大きい電動モータＭを搭載することが可能な魚釣用電動リールが得られる。
【００４７】
以上、本発明の実施形態について説明したが、本発明は、上記した実施形態に限定されることはなく、種々変形することが可能である。
例えば、図９に示すように、モータケース６０の蓋体６２Ａの内側に間隙５８を設け、この間隙５８を利用して電動モータＭ１の側面５７から軸方向に各リード線５４を導出し、その後、モータケース６０の蓋体６２Ａの外周面６０１Ａに形成した引出口６０４のそれぞれから径方向に導出するように構成してもよい。
【００４８】
この場合にも、モータケース６０の軸線に直交する径方向外方に各リード線５４を引き出すことができる。これにより、電動モータＭ１の軸方向に各リード線５４が延在するのを回避することができる。したがって、従来に比べ電動モータＭ１の軸方向にリール本体の寸法を小さくすることができる。これにより、リール本体の小型化を図りつつ、出力の大きい電動モータＭ１を搭載することができる。
【００４９】
前記実施形態では、引出口６０４を通じて後方斜め上方に各リード線５４を引き出したが、これに限られることはなく、レイアウトに合わせて後方や上方、その他の方向に各リード線５４を引き出すことができる。
また、引出口６０４を周方向に隣接して２つ設け、各引出口６０４からリード線５４を引き出してもよいし、引出口６０４を周方向に間隔を空けて２つ設けてもよい。
なお、引出口６０４はモータケース６０を構成する蓋体６２に形成したが、モータケース６０を構成する前フレーム２ｃを電動モータＭの端部より軸方向に延設し、この延設した前フレーム２ｃの外周部に形成した引出口からリード線５４を径方向外方に引き出してもよい。
【００５０】
また、引出口６０４を通じて、その他の電線を配索してもよい。
また、側部放熱部材３７は、必ずしも設けなくてもよい。この場合には、右側板３０Ｂの開口部３４ａにモータケース６０を直接臨ませる構成を採用することができる。このように構成することで、側部放熱部材３７を配置しない分、リール本体１の小型化を図ることができる。
【符号の説明】
【００５１】
１      リール本体
３      側板
５      スプール
５４    リード線
６０    モータケース
６０４  引出口
６１０  防水パッキン
６１４  ワッシャ（保持部材）
Ｍ      電動モータ
Ｍ１    電動モータ
【図１】
0006554058.tif 000002
【図２】
0006554058.tif 000003
【図３】
0006554058.tif 000004
【図４】
0006554058.tif 000005
【図５】
0006554058.tif 000006
【図６】
0006554058.tif 000007
【図７】
0006554058.tif 000008
【図８】
0006554058.tif 000009
【図９】
0006554058.tif 000010